(57)【要約】【課題】構造がシンプルで、しかも、胸部のツボをマッサージすることができる胸部マッサージ装置を提供する。【解決手段】胸部をマッサージするための装置であり、胸部を覆う少なくとも一対のカップ部４を有するブラジャー本体２と、カップ部４に取り付けられたマッサージモジュール３とを含んでいる。マッサージモジュール３は、一対のカップフレーム９と、少なくとも各カップフレーム９に設けられかつ胸部に刺激を与えるための複数の振動部１０と、振動部１０を制御するための制御部１１とを含んでいる。【選択図】図２
2016140658.tif 000002
【特許請求の範囲】
【請求項１】
胸部をマッサージするための装置であって、
前記胸部を覆う少なくとも一対のカップ部を有するブラジャー本体と、
前記カップ部に取り付けられたマッサージモジュールとを含み、
前記マッサージモジュールは、一対のカップフレームと、少なくとも前記各カップフレームに設けられかつ前記胸部に刺激を与えるための複数の振動部と、前記振動部を制御するための制御部とを含むことを特徴とする胸部マッサージ装置。
【請求項２】
前記複数の振動部は、前記胸部にある複数のツボのいずれかに対応した位置に刺激を与える請求項１に記載の胸部マッサージ装置。
【請求項３】
前記制御部は、前記複数の振動部をそれぞれ個別に制御する請求項１又は２に記載の胸部マッサージ装置。
【請求項４】
前記カップ部は、ポケット状の収容部を有し、前記マッサージモジュールは、前記収容部に出し入れ自在に収容されている請求項１乃至３のいずれかに記載の胸部マッサージ装置。
【請求項５】
前記カップフレームは、エラストマーからなり、
前記マッサージモジュールは、前記カップフレームの形状を保持するための支持フレームをさらに含む請求項１乃至４のいずれかに記載の胸部マッサージ装置。
【請求項６】
前記各振動部は、少なくともマイクロモータを含む請求項１乃至５のいずれかに記載の胸部マッサージ装置。
【請求項７】
前記カップフレームは、胸部側を向く内面と、その反対側の面である外面とを有し、
前記外面には、複数の振動部用の凹部を有し、
前記凹部は、前記内面において、胸部側に突出しており、
前記マイクロモータが、前記凹部に装着されている請求項６に記載の胸部マッサージ装置。
【請求項８】
前記マッサージモジュールは、前記一対のカップフレームを連結するカップ接続部を有し、
前記制御部は、スイッチコントロールボックスを含み、
前記スイッチコントロールボックスは、前記カップ接続部に取り付けられている請求項１乃至７のいずれかに記載の胸部マッサージ装置。
【請求項９】
前記マッサージモジュールは、モジュールカバーをさらに含み、
前記モジュールカバーは、前記カップフレーム及び前記複数の振動部を被覆している請求項１乃至８のいずれかに記載の胸部マッサージ装置。
【請求項１０】
前記マッサージモジュールは、前記複数の振動部及び前記制御部に電気を供給する電源部をさらに備え、
前記電源部は、充電式の電池を有し、
前記電池は、前記モジュールカバーに取り付けられている請求項９に記載の胸部マッサージ装置。
【請求項１１】
前記マッサージモジュールは、エラストマーからなるカップフレームカバーをさらに含み、
前記カップフレームカバーは、前記カップフレームの胸部とは反対側の外面側に取り付けられている請求項１乃至１０のいずれかに記載の胸部マッサージ装置。
【請求項１２】
前記マッサージモジュールは、胸部を温めるための発熱部をさらに含み、
前記発熱部は、加熱シートを有する請求項１乃至１１のいずれかに記載の胸部マッサージ装置。
【請求項１３】
前記マッサージモジュールは、胸部を温めるための遠赤外線発生部をさらに含み、
前記遠赤外線発生部は、遠赤外線セラミックチップを有する請求項１乃至１２のいずれかに記載の胸部マッサージ装置。
【請求項１４】
前記マッサージモジュールは、胸部に電気刺激を付与するための微弱電流供給部をさらに含み、
前記微弱電流供給部は、導電性エラストマーを有する請求項１乃至１３のいずれかに記載の胸部マッサージ装置。
【発明の詳細な説明】
【技術分野】
【０００１】
本発明は、胸部をマッサージするための胸部マッサージ装置に関する。
【背景技術】
【０００２】
下記特許文献１には、胸部をマッサージするための胸部マッサージ装置が記載されている。この胸部マッサージ装置は、乳房を覆う一対の凹入室を有するパット本体と、このパッド本体の凹入室の間に設けられたマッサージ用の振動部とを備えている。
【先行技術文献】
【特許文献】
【０００３】
【特許文献１】特開２０００−１４００５９号公報
【発明の概要】
【発明が解決しようとする課題】
【０００４】
特許文献１の胸部マッサージ装置は、振動部によって、パット本体全体を振動させて乳房をマッサージするので、例えば、乳房の特定のツボを、集中的にマッサージすることができなかった。従って、従来の胸部マッサージ装置は、胸部の血液循環を促進して、新陳代謝の活性化を効果的に実現するためには、さらなる改善の余地があった。
【０００５】
本発明は、以上のような実状に鑑み案出されたもので、優れたマッサージ効果を与えることができる胸部マッサージ装置を提供することを主たる目的としている。
【課題を解決するための手段】
【０００６】
本発明は、胸部をマッサージするための装置であって、前記胸部を覆う少なくとも一対のカップ部を有するブラジャー本体と、前記カップ部に取り付けられたマッサージモジュールとを含み、前記マッサージモジュールは、一対のカップフレームと、少なくとも前記各カップフレームに設けられかつ前記胸部に刺激を与えるための複数の振動部と、前記振動部を制御するための制御部とを含むことを特徴とする。
【０００７】
本発明に係る胸部マッサージ装置において、前記複数の振動部は、前記胸部にある複数のツボのいずれかに対応した位置に刺激を与えるのが望ましい。
【０００８】
本発明に係る胸部マッサージ装置において、前記制御部は、前記複数の振動部をそれぞれ個別に制御するのが望ましい。
【０００９】
本発明に係る胸部マッサージ装置において、前記カップ部は、ポケット状の収容部を有し、前記マッサージモジュールは、前記収容部に出し入れ自在に収容されているのが望ましい。
【００１０】
本発明に係る胸部マッサージ装置において、前記カップフレームは、エラストマーからなり、前記マッサージモジュールは、前記カップフレームの形状を保持するための支持フレームをさらに含むのが望ましい。
【００１１】
本発明に係る胸部マッサージ装置において、前記各振動部は、少なくともマイクロモータを含むのが望ましい。
【００１２】
本発明に係る胸部マッサージ装置において、前記カップフレームは、胸部側を向く内面と、その反対側の面である外面とを有し、前記外面には、複数の振動部用の凹部を有し、前記凹部は、前記内面において、胸部側に突出しており、前記マイクロモータが、前記凹部に装着されているのが望ましい。
【００１３】
本発明に係る胸部マッサージ装置において、前記マッサージモジュールは、前記一対のカップフレームを連結するカップ接続部を有し、前記制御部は、スイッチコントロールボックスを含み、前記スイッチコントロールボックスは、前記カップ接続部に取り付けられているのが望ましい。
【００１４】
本発明に係る胸部マッサージ装置において、前記マッサージモジュールは、モジュールカバーをさらに含み、前記モジュールカバーは、前記カップフレーム及び前記複数の振動部を被覆しているのが望ましい。
【００１５】
本発明に係る胸部マッサージ装置において、前記マッサージモジュールは、前記複数の振動部及び前記制御部に電気を供給する電源部をさらに備え、前記電源部は、充電式の電池を有し、前記電池は、前記モジュールカバーに取り付けられているのが望ましい。
【００１６】
本発明に係る胸部マッサージ装置において、前記マッサージモジュールは、エラストマーからなるカップフレームカバーをさらに含み、前記カップフレームカバーは、前記カップフレームの胸部とは反対側の外面側に取り付けられているのが望ましい。
【００１７】
本発明に係る胸部マッサージ装置において、前記マッサージモジュールは、胸部を温めるための発熱部をさらに含み、前記発熱部は、加熱シートを有するのが望ましい。
【００１８】
本発明に係る胸部マッサージ装置において、前記マッサージモジュールは、胸部を温めるための遠赤外線発生部をさらに含み、前記遠赤外線発生部は、遠赤外線セラミックチップを有するのが望ましい。
【００１９】
本発明に係る胸部マッサージ装置において、前記マッサージモジュールは、胸部に電気刺激を付与するための微弱電流供給部をさらに含み、前記微弱電流供給部は、導電性エラストマーを有するのが望ましい。
【発明の効果】
【００２０】
本発明の胸部マッサージ装置は、ブラジャー本体と、マッサージモジュールとを含んでいる。マッサージするための機構部が、マッサージモジュールにまとめられているので、構造がシンプルであり、ブラジャー本体との着脱も容易である。
【００２１】
前記マッサージモジュールは、一対のカップフレームと、少なくとも前記各カップフレームに設けられかつ前記胸部に刺激を与えるための複数の振動部を含んでいる。各振動部は、胸部の特定位置、例えば、ツボを集中的にマッサージすることができる。これにより、本発明の胸部マッサージ装置は、優れたマッサージ効果を得ることができる。
【００２２】
本発明の一実施形態では、複数の振動部が乳房のツボを多様に刺激し、血行の促進と乳房の組織細胞の新陳代謝の活性化とを行い得る。その結果、振動部は、乳房にハリと弾力性を与え、乳房の下垂を防止する等の胸の健康美を増進するとともに、乳腺機能を高め、豊胸効果も期待される。
【００２３】
以上のように、本発明の胸部マッサージ装置は、構造がシンプルで、しかも、胸部の特定箇所を集中的にマッサージすることができる。
【図面の簡単な説明】
【００２４】
【図１】本発明の一実施形態の胸部マッサージ装置を示す斜視図である。
【図２】本実施形態のブラジャー本体の単体を示す斜視図である。
【図３】本実施形態のマッサージモジュールの機構部を示す背面図である。
【図４】図３のマッサージモジュールの機構部の正面図である。
【図５】図３のマッサージモジュールの機構部の分解斜視図である。
【図６】本実施形態のマッサージモジュールを示す斜視図である。
【発明を実施するための形態】
【００２５】
以下、本発明の実施の一形態が図面に基づき説明される。
図１は、本発明の一実施形態の胸部マッサージ装置１を示す斜視図である。図１に示されるように、胸部マッサージ装置１は、胸部に着用されるブラジャー本体２と、ブラジャー本体２に取り付けられたマッサージモジュール３とを含んでいる。
【００２６】
図２は、本実施形態のブラジャー本体２の単体を示す斜視図である。図２に示されるように、本実施形態のブラジャー本体２は、胸部を覆う一対のカップ部４，４と、カップ部４，４を胸部に固定するためのベルト部５と、カップ部４，４とベルト部５とを肩部を経由して連結する一対のストラップ部６，６とを有している。このように、本実施形態のブラジャー本体２は、一般的なブラジャーと同様の基本構成を備えている。ブラジャー本体２は、本実施形態の形状に限定されるものではなく、種々の形態に変更され得る。
【００２７】
カップ部４は、例えば、二重構造で構成されており、乳房に直接接触するカップ部分４ａと、カップ部分４ａの胸部側とは反対側を覆うカバー部分４ｂとを有しているのが望ましい。これにより、カップ部分４ａとカバー部分４ｂとの間に、マッサージモジュール３を収容可能な空間である収容部７が形成されている。カップ部分４ａは、伸縮性を有し、ベルト部５やストラップ部６よりも薄い素材により構成されることが望ましい。このようなカップ部分４ａは、後述するマッサージモジュール３の振動を、胸部に対して効率的に伝える点で望ましい。
【００２８】
収容部７は、マッサージモジュール３（図１に示す）をブラジャー本体２の中央部から左右外側に出し入れ自在に収容するもので、ポケット状に形成されている。収容部７には、そこに挿入されたマッサージモジュール３を固定するための面ファスナー、ボタン又はホック等の固定手段（図示省略）が設けられていてもよい。
【００２９】
ブラジャー本体２は、さらに、マッサージモジュール３を固定する一対の固定ベルト８，８を有しているのが望ましい。一対の固定ベルト８は、カップ部４の胸部側とは反対側に設けられ、ベルト部５に連結される幅広部８ａと、ブラジャー本体２の中央で互いに固定される紐状部８ｂとを有している。紐状部８ｂは、面ファスナー、ボタン又はホック等の固定手段（図示省略）で固定されてもよいし、紐状部８ｂ同士を結んで固定されてもよい。固定ベルト８は、マッサージモジュール３を収容部７の上から幅広部８ａで締め付けることで、マッサージモジュール３をより確実に固定することができる。
【００３０】
図３は、本実施形態のマッサージモジュール３の機構部を示す背面図であり、図４は、図３のマッサージモジュール３の機構部の正面図である。本明細書では、マッサージモジュール３を胸部に装着した時に、胸部側となる面がマッサージモジュール３の背面側であり、その反対となる面が正面側として説明される。また、図５には、図３のマッサージモジュールの機構部の分解斜視図が示されている。
【００３１】
図３乃至図５に示されるように、マッサージモジュール３は、少なくとも、一対のカップフレーム９，９と、各カップフレーム９に設けられた複数の振動部１０と、振動部１０を制御するための制御部１１とを含んでいる。マッサージモジュール３は、マッサージするための機構部がまとめられているので、構造がシンプルであり、ブラジャー本体２（図１に示す）との着脱も容易である。
【００３２】
カップフレーム９は、例えば、乳房を覆うように椀状に形成され、振動部１０等を保持している。一対のカップフレーム９，９は、カップ接続部１２で連結されているのが望ましい。本実施形態では、一対のカップフレーム９，９とカップ接続部１２とは、シリコン等のエラストマーにより一体的に形成されている。
【００３３】
図５に示されるように、マッサージモジュール３は、さらに、支持フレーム２２を含むのが望ましい。支持フレーム２２は、例えば、ワイヤにより形成され、一対のカップフレーム９，９及びカップ接続部１２の形状を保持する。このような支持フレーム２２は、カップフレーム９，９及びカップ接続部１２に、振動部１０及び制御部１１等の重量が負荷されても、その形状を保持させることができる。
【００３４】
一対のカップフレーム９，９は、それぞれ、図３に示されるような、胸部側を向く内面１８と、その反対側の面である、図５に示されるような、外面１９とを有している。本実施形態では、カップフレーム９の外面１９は、複数の振動部用の凹部１５を有している。凹部１５は、振動部１０の振動を胸部に伝達する振動コンタクトの機能を有しており、カップフレーム９の内面１８において、胸部側に突出している。
【００３５】
図３乃至図５に示されるように、本実施形態では、カップフレーム９と一体的に形成されているカップ接続部１２も、カップフレーム９と同様に、胸部側を向く内面１８と、その反対側の面である、外面１９とを有している。カップ接続部１２の外面１９は、中央凹部１７を有している。中央凹部１７は、後述する中央振動部１３の振動を胸部に伝達する振動コンタクトの機能を有しており、カップ接続部１２の内面１８において、胸部側に突出している。
【００３６】
図３及び図５に示されるように、複数の振動部１０は、胸部に刺激を与えるためのものであり、カップフレーム９の周囲に環状に配置されている。この複数の振動部１０の配置位置は、乳房の複数のツボに対応した位置である。本実施形態では、複数の振動部１０は、例えば、鷹窓、天溪及び乳根の各ツボに対応した位置に配置されている。このような複数の振動部１０は、乳房のツボに局所的に刺激を与えることができる。このため、振動部１０は、血行の促進と乳房の組織細胞の新陳代謝の活性化とを効率よく行い得る。
【００３７】
図５に示されるように、各振動部１０は、振動源であるマイクロモータ１４と振動コンタクトの機能を有する凹部１５とを含むのが望ましい。マイクロモータ１４は、振動部用の凹部１５に装着される。凹部１５は、マイクロモータ１４の回転によって振動し、マイクロモータ１４の振動を胸部に効率よく伝達する。
【００３８】
図３乃至図５に示されるように、振動部１０は、さらに、中央振動部１３を備えていることが望ましい。中央振動部１３は、カップ接続部１２に設けられ、例えば、だん中のツボに対応した位置に配置されている。従って、中央振動部１３は、胸部の中央にあるツボに効果的に刺激を与えることができる。
【００３９】
図５に示されるように、中央振動部１３は、振動源であるマイクロモータ１６と振動コンタクトの機能を有する中央凹部１７とを含むのが望ましい。マイクロモータ１６は、中央凹部１７に装着される。中央凹部１７は、マイクロモータ１６の回転によって振動し、マイクロモータ１６の振動を胸部に効率よく伝達する。
【００４０】
図１に示されるように、制御部１１は、スイッチコントロールボックス２１を含んでいる。制御部１１は、カップ接続部１２に取り付けられたスイッチコントロールボックス２１を操作することで、中央振動部１３を含む複数の振動部１０を、それぞれ個別に制御することができる。このため、制御部１１は、乳房の任意のツボに対応する振動部１０のみを振動させることができる。また、制御部１１は、例えば、振動パターン及び振動の強弱を、複数の振動部１０毎に選択可能に制御するようにしてもよい。
【００４１】
図４及び図５に示されるように、マッサージモジュール３は、さらに、一対のカップフレームカバー２３を含んでいるのが望ましい。カップフレームカバー２３は、シリコン等のエラストマーからなり、カップフレーム９の外面１９側に取り付けられている。このため、マッサージモジュール３は、振動部１０がカップフレーム９とカップフレームカバー２３に挟まれ、保護される。
【００４２】
図５に示されるように、マッサージモジュール３は、さらに、胸部を温めるための発熱部２４と遠赤外線発生部２５とを含んでいるのが望ましい。
【００４３】
本実施形態の発熱部２４は、例えば、カップフレーム９とカップフレームカバー２３との間に配置された加熱シート２６を有している。加熱シート２６は、電気的に発熱し、制御部１１により一定温度に制御される。このような発熱部２４は、乳房全体を温めることができ、振動部１０との相乗効果で、より優れた血行促進と、乳腺の円滑化効果を得ることができる。
【００４４】
本実施形態の遠赤外線発生部２５は、例えば、カップフレーム９の周囲に環状に配置された複数の遠赤外線セラミックチップ２７を有している。遠赤外線セラミックチップ２７は、さらに、中央振動部１３に有していてもよい（図示省略）。遠赤外線セラミックチップ２７は、乳房の各ツボに対応した位置に配置されている。このような遠赤外線発生部２５は、乳房のツボを局所的に温めることができ、振動部１０及び発熱部２４との相乗効果で、さらに血行を促進し、乳房にハリと弾力性を与えて、乳房の下垂を防止することができる。
【００４５】
遠赤外線セラミックチップ２７は、それ自体で遠赤外線を放出する機能を有している。従って、遠赤外線セラミックチップ２７は、制御部１１等と電気的に接続する必要はない。遠赤外線セラミックチップ２７は、カップフレーム９に設けられた遠赤外線セラミックチップ用取付穴２８に収納されるのが望ましい。遠赤外線セラミックチップ用取付穴２８は、例えば、カップフレーム９の外面１９から内面１８にむけて、凹状に形成されている。
【００４６】
マッサージモジュール３は、さらに、胸部に電気刺激を付与するための微弱電流供給部（図示省略）を含んでいてもよい。前記微弱電流供給部は、例えば、導電性エラストマーを有し、制御部１１により制御される。このような微弱電流供給部は、血行を促進するとともに、乳房を支える大胸筋を刺激し、乳房の下垂を防止することができる。
【００４７】
図６は、本実施形態のマッサージモジュール３を示す斜視図である。図６に示されるように、マッサージモジュール３は、さらに、マッサージモジュール３の機構部を覆うモジュールカバー２９を含んでいるのが望ましい。モジュールカバー２９は、少なくとも、カップフレーム９及び複数の振動部１０を被覆している。モジュールカバー２９は、例えば、布により形成され、端部が縫合されることでマッサージモジュール３の機構部と一体化している。
【００４８】
マッサージモジュール３は、さらに、複数の振動部１０及び制御部１１等に電気を供給する電源部（図示省略）を備えている。前記電源部は、例えば、充電式の電池を有している。当該電池は、例えば、モジュールカバー２９に設けられた電池収納部３０に取り付けられている。電池収納部３０は、モジュールカバー２９の左右いずれかの端部近傍に設けられることが望ましい。
【００４９】
以上、本発明の特に好ましい実施形態について詳述したが、本発明は図示の実施形態に限定されることなく、種々の態様に変形して実施し得る。
【符号の説明】
【００５０】
２        ブラジャー本体
３        マッサージモジュール
４        カップ部
９        カップフレーム
１０        振動部
１１        制御部
【図１】
2016140658.tif 000003
【図２】
2016140658.tif 000004
【図３】
2016140658.tif 000005
【図４】
2016140658.tif 000006
【図５】
2016140658.tif 000007
【図６】
2016140658.tif 000008